(57)【要約】      （修正有）【課題】ピアス、イヤリング、ブローチ、ペンダント等に適用可能なピン可倒式留め具を提供する。【解決手段】基端に左右に直角に張り出す軸を備えたピン１と、装身具に溶接される基体５と、からなり、当該基体５の上部に前記軸が回転可能に取り付けられたピン可倒式留め具であって、前記基端は基体５に対して二つの直角面Ａ、Ｂを構成したピンの角度設定部とすると共に、当該角度設定部の近傍にチェーン通し部４を備え、前記基体５内にバネ６と押し金具７を装着し、当該押し金具７はバネ６により上側に付勢され、押し金具７の上面が前記角度設定部に弾発性をもって当接され、ピン１を回転させて直角面Ａに押し金具７が接触した際にはピン１が基体５に添って下向きとなり、直角面Ｂに押し金具７が接触した際にはピン１が基体５より直角に立ち上がり、ピン１は夫々の位置でバネの弾発力によって維持されたピン可倒式留め具。【選択図】図２
2010274025.tif 000002
【特許請求の範囲】
【請求項１】
基端に左右に直角に張り出す軸を備えたピンと、装身具に溶接される基体と、からなり、当該基体の上部に前記軸が回転可能に取り付けられたピン可倒式留め具であって、前記基端は基体に対して二つの直角面Ａ、Ｂを構成したピンの角度設定部とすると共に、当該角度設定部の近傍にチェーン通し部を備え、
前記基体内にバネと押し金具を装着し、当該押し金具はバネにより上側に付勢され、押し金具の上面が前記角度設定部に弾発性をもって当接され、ピンを回転させて直角面Ａに押し金具が接触した際にはピンが基体に添って下向きとなり、直角面Ｂに押し金具が接触した際にはピンが基体より直角に立ち上がり、ピンは夫々の位置でバネの弾発力によって維持されたことを特徴とするピン可倒式留め具。
【請求項２】
基端に左右に直角に張り出す軸を備えたピンと、装身具に溶接される基体と、からなり、当該基体の上部に前記軸が回転可能に取り付けられたピン可倒式留め具であって、前記基端は基体に対して二つの直角面Ａ、Ｂを構成したピンの角度設定部とすると共に、当該角度設定部の近傍にチェーン通し部を備え、
前記基体に板バネを装着し、当該板バネは前記角度設定部に弾発性をもって当接され、ピンを回転させて直角面Ａに板バネが接触した際にはピンが基体に添って下向きとなり、直角面Ｂに板バネが接触した際にはピンが基体より直角に立ち上がり、ピンは夫々の位置でバネの弾発力によって維持されたことを特徴とするピン可倒式留め具。
【請求項３】
前記チェーン通し部がＵ字状をなす請求項１又は２記載のピン可倒式留め具。
【請求項４】
前記直角面Ａ及びＢの隅部に、外形が丸みを帯びた突条部を形成した請求項１又は２記載のピン可倒式留め具。                  
【請求項５】
前記押し金具の上面を平面とした請求項１記載のピン可倒式留め具。
【発明の詳細な説明】
【技術分野】
【０００１】
本発明は、ピン可倒式留め具に関するもので、更に詳しくは、バネを内蔵してピンの開閉作動を的確に作動させるピン可倒式留め具に係るものである。
【背景技術】
【０００２】
装身具用留め具として、ピンが可倒式のピアス兼用イヤリングが提案されており、例えば、特許文献１〜２が存在する。しかしながら、いずれもピンの位置（角度）を固定する機能は持っていない。又、チェーンを通してペンダント用留め具としての機能を持つものはない。
【０００３】
図１１は、特許文献１の装身具の一例を示す側面図であり、留め具のピン３１を開いた際にピアスとなるもので、ピン３１を固定するための折り畳みができるキャッチ３２が一体に取り付けられた構造となっている。一方、ピン３１を閉じるとイヤリングとなるもので、耳当て部３３と前記したキャッチ３２により耳たぶ３５を挟んでなる構造となっている。符号４０は装身具である。
【先行技術文献】
【特許文献】
【０００４】
【特許文献１】特開平０８ー０５６７１５号公報
【特許文献２】特開２００５ー０００５２７号公報
【発明の概要】
【発明が解決しようとする課題】
【０００５】
しかるに、この装身具（の留め具）はピアス及びイヤリングに用いられるものであり、この装身具の留め具はペンダントとして用いられる構造とはなっていない。本発明の留め具は、ピアス、イヤリング、ブローチ、ペンダント等に適用可能なピン可倒式留め具を提供するものである。
【課題を解決するための手段】
【０００６】
本発明の第１は、基端に左右に直角に張り出す軸を備えたピンと、装身具に溶接される基体と、からなり、当該基体の上部に前記軸が回転可能に取り付けられたピン可倒式留め具であって、前記基端は基体に対して二つの直角面Ａ、Ｂを構成したピンの角度設定部とすると共に、当該角度設定部の近傍にチェーン通し部を備え、前記基体内にバネと押し金具を装着し、当該押し金具はバネにより上側に付勢され、押し金具の上面が前記角度設定部に弾発性をもって当接され、ピンを回転させて直角面Ａに押し金具が接触した際にはピンが基体に添って下向きとなり、直角面Ｂに押し金具が接触した際にはピンが基体より直角に立ち上がり、ピンは夫々の位置でバネの弾発力によって維持されたピン可倒式留め具である。
【０００７】
本発明の第２は、基端に左右に直角に張り出す軸を備えたピンと、装身具に溶接される基体と、からなり、当該基体の上部に前記軸が回転可能に取り付けられたピン可倒式留め具であって、前記基端は基体に対して二つの直角面Ａ、Ｂを構成したピンの角度設定部とすると共に、当該角度設定部の近傍にチェーン通し部を備え、前記基体に板バネを装着し、当該板バネは前記角度設定部に弾発性をもって当接され、ピンを回転させて直角面Ａに板バネが接触した際にはピンが基体に添って下向きとなり、直角面Ｂに板バネが接触した際にはピンが基体より直角に立ち上がり、ピンは夫々の位置でバネの弾発力によって維持されたピン可倒式留め具である。
【発明の効果】
【０００８】
本発明は、ピアス、ブローチ、ペンダント等に兼用できる装身具の留め具であり、ピンの立ち上げ及び下向きが確実となり、ピンが立ち上がった際には、ピアス又はブローチとなり、ピンが下向きとなった際にはチェーン通し部にチェーンを通すことによってペンダントとなるものである。尚、装身具本体への取り付けは、基体のＣ面を溶接・ロウ付けすることによって行うものである。
【図面の簡単な説明】
【０００９】
【図１】図１は本発明の第１の留め具におけるピンを閉じた時の正面図である。
【図２】図２は図１の一部切り欠き側面図である。
【図３】図３は図１の主要部のみを取り出した側面図である。
【図４】図４は図１のピンを開いた時の側面図である。
【図５】図５は図４の正面図である。
【図６】図６は本発明の第１の留め具の変形例を示す側面図である。
【図７】図７は本発明の第２の留め具におけるピンを閉じた時の正面図である。
【図８】図８は図７のピンを開いた時の側面図である。
【図９】図９は本発明の第２の留め具の変形例を示す側面図である。
【図１０】図１０は図９のピンを開いた時の側面図である。
【図１１】図１１は従来の留め具を示す側面図である。
【発明を実施するための形態】
【００１０】
本発明の第１について言えば、基体の本体の中にスプリング式バネとその上部に押し金具が内蔵されており、その押し金具の上面を平面とし、ピンの基端に形成したピンの角度設定部に接している。角度設定部は、ピンが閉じた状態の時、即ち、ピンを回転させて直角面Ａに押し金具の上面が接触した際には、ピンが基体に添って下向きとなり、９０度開いた時、即ち、直角面Ｂに押し金具の上面が接触した際には、ピンが基体より直角に立ち上がり、ピンは夫々の位置でバネの弾発力によって維持される。
【００１１】
好ましくは、角度設定部の前記直角面Ａ及びＢの隅部に、外形が丸みを帯びた突条部を形成し、簡単に動かないような構成するのが好ましい。一方、押し金具はピンの開閉動作を滑らかにするために、先端の角に若干の丸みを持たせるのがよい。
【００１２】
尚、ピンが基体に添って下向きとなった場合、ピンの動きを止めるために、ピンと嵌合の可能なフックを備えることも好ましい形態である。
【００１３】
ピンは、その上部にチェ−ン通し用の半円部分を持ち、ブローチにもなり得るもので、その先端は用途により、尖らせたり、丸みを帯びたもの等に変化する。
【００１４】
尚、ピアスやブローチに用いる場合には、ピンに対して従来から用いられている種々のキャッチをもって固定することとなる。
【００１５】
以上のような角度設定部及びピンの構造とすることにより、ピンが開いた時及び閉じた時に安定してその状態を維持可能とするもので、かつ、開閉時にカチカチと小気味よく行えることとなる。
【００１６】
本発明の第２について言えば、基体の側面に板バネの一端が装着されており、バネの他端がピンの基端の角度設定部に弾発力をもって接している。そして、角度設定部は、ピンが閉じた状態の時、即ち、ピンを回転させて直角面Ａに板バネが接触した際には、ピンが基体に添って下向きとなり、９０度開いた時、即ち、直角面Ｂに板バネが接触した際にはピンが基体より直角に立ち上がり、夫々板バネの弾発力によって維持される。
【実施例】
【００１７】
図１は本発明の第１のピン可倒式留め具におけるピンを閉じた時の正面図、図２はその一部切り欠き側面図、図３は主要部のみを取り出した側面図である。図４はピンを開いた時の側面図であり、図５はその正面図である。
【００１８】
符号１はピンであり、その基端に左右に直角に張り出す軸２、角度設定部３、Ｕ字状をなすチェーン通し部４を備えたもので、角度設定部３には、二つの略直角な面Ａ、Ｂを構成したものである。そして、この直角面Ａ及びＢの隅部に、外形が丸みを帯びた突条部３ａが形成してある。
【００１９】
装身具に溶接されることとなる基体５は中空の筒体であり、コイルバネ６及び押し金具７が筒体に内蔵されている。即ち、筒体５の下端に下片５ａが備えられ、コイルバネ６を内蔵した後にこれを折り曲げてコイルバネ６を内蔵する。上端にはブラケット８が備えられ、押し金具７と角度設定部３と弾発接触させた状態でピン１に備えた軸２を左右両側より支持する。尚、基体５の外面にはピン１が閉じられた際にその状態を維持するフック９が備えられており、ピン１が嵌め込まれて閉じられた状態が維持される。
前記押し金具７は、その上面７ａを平面としたものであり、角度設定部３の面Ａ、Ｂと弾発力をもって接触することとなる。
【００２０】
さて、図１〜図３にあっては、角度設定部３の面Ａと押し金具７の上面７ａが弾発的に接触した状態であり、ピン１が下向きとなって維持されたものである。このため、ピン１におけるチェーン通し部４にチェーンを通すことによってペンダントを構成することになる。
【００２１】
角度設定部３の直角面Ａ及びＢの隅部には、外形が丸みを帯びた突条部３ａが形成されている。この突条部３ａによって、角度設定部３の面Ａと押し金具７の上面７ａとの接触が確実に維持されることとなる。
【００２２】
一方、図４〜図５に示すように、ピン１を９０度開くことにより、押し金具７の上面７ａが突条部３ａを乗り越え、角度設定部３の面Ｂと接触し、ピン１が開いた状態で固定・維持される。かかるピン１は、ピアスやブローチとして用いられるものであり、ピン１に対して図しないキャッチにて耳たぶ或いは衣服に装着されることとなる。
【００２３】
以上のような角度設定部３及びピン１の構造とすることにより、ピン１が開いた時及び閉じた時に安定してその状態を維持可能とするもので、かつ、開閉時にピン１が突条部３ａを乗り越える度にカチカチと小気味よく音が出るという特徴もある。尚、図示しない装身具とは基体のＣ面をもって溶接すればよい。
【００２４】
図６は第１のピン可倒式留め具の変形例であり、チェーン通し部４をブラケット８の直上に位置するように形成したものであり、ペンダントとして用いる際に好適である。又、符号１０は台座であり、その頂面Cをもって図示しない装身具と溶接するものである。尚、この台座１０は前例にも適用できることは勿論である。
【００２５】
図７は本発明の第２のピン可倒式留め具におけるピンを閉じた時の側面図であり、図８はピンを開いた時の側面図である。
【００２６】
ピン１１には、前述の軸２と同様に軸１２を備え、これ又、二つの直角面Ａ、Ｂを構成したピンの角度設定部１３を備えると共に、この角度設定部１３の近傍にチェーン通し部１４を備えたものである。
【００２７】
一方、基体１５には軸１２を支持するブラケット１６を備えたものであり、直角面Ａ、Ｂに対して基体１５の表面に板バネ１７の一端を固定したものである。板バネ１７は前記角度設定部１３の面Ａ、Ｂに弾発性をもって当接され、ピン１１を回転させて直角面Ａに板バネ１７が接触した際には、ピン１１が基体に添って下向きとなり、直角面Ｂに板バネ１７が接触した際には、ピン１１が基体より直角に立ち上がり、ピン１１は夫々の位置で板バネ１７の弾発力によって維持されることとなる。１８はピン１１を支持するフックである。 尚、符号１３ａは面A、Bの中間にある突条部であり、前例の突条部３ａと同じ機能をなす。又、符号１５ａはこれも前例の下片５ａと同じである。
【００２８】
図９〜図１０は第２のピン可倒式留め具の変形例であり、チェーン通し部１４を変更したものであり、更に、台座１９を備えたものである。チェーン通し押し部１４は、溶接される装身具により近い部位に形成されることとなり、台座１９は前例の台座１０と同じ機能をなすものである。
【産業上の利用可能性】
【００２９】
本発明の留め具は、ピンの位置をバネを使用してきっちり固定できる上、チェーン通し部も持ち、ピアス、ブローチ、ブラケット用留め具の機能も兼ね備え、デザインも高級感を持たせたものである。又、サイズを変えることにより、あらゆる装身具の留め具として使用できる。
【符号の説明】
【００３０】
１‥ピン、
２‥左右に直角に張り出す軸、
３‥角度設定部、
３ａ‥突条部、
４‥チェーン通し部、
５‥基体、
５ａ‥基体（筒体）の下片、
６‥コイルバネ、
７‥押し金具、
７ａ‥押し金具の上面、
８‥ブラケット、
９‥フック、
１０‥台座、
１１‥ピン、
１２‥軸、
１３‥角度設定部、
１４‥チェーン通し部、
１５‥基体、
１５ａ‥基体の下片、
１６‥ブラケット、
１７‥板バネ、
１８‥フック、
１９‥台座、
Ａ、Ｂ‥角度設定部の面、
Ｃ‥基体の溶接面。
【図１】
2010274025.tif 000003
【図２】
2010274025.tif 000004
【図３】
2010274025.tif 000005
【図４】
2010274025.tif 000006
【図５】
2010274025.tif 000007
【図６】
2010274025.tif 000008
【図７】
2010274025.tif 000009
【図８】
2010274025.tif 000010
【図９】
2010274025.tif 000011
【図１０】
2010274025.tif 000012
【図１１】
2010274025.tif 000013